(57)【要約】【課題】  上下両面にそれぞれボトル底部を嵌合する嵌合部と、ボトル頭部を嵌入する円環部を設けて、両面を使用することができるペットボトル用トレイはなかった。【解決手段】  この発明の両面使用可能なペットボトル用トレイは、平面方形状のプレートの周縁に上下方向に突出するフランジを設け、前記プレートの上下面に島状に配設した複数の凸部で囲まれた凹部をペットボトルの嵌合部となし、前記嵌合部は、中心部に前記プレートから上下方向に突出したボトル頭部を嵌入する円環部を設け、前記円環部の外周に前記円環部とほぼ同じ高さの膨出部を形成してボトル底部を載置する載置面としたことを特徴とする。前記膨出部は、２以上であってプレートの上下方向に互い違いに形成されており、載置面は凹凸面とされている。【選択図】      図１
2006282270.tif 000002
【特許請求の範囲】
【請求項１】
平面方形状のプレートの周縁に上下方向に突出するフランジを設け、前記プレートの上下面に島状に配設した複数の凸部で囲まれた凹部をペットボトルの嵌合部となし、前記嵌合部は、中心部に前記プレートから上下方向に突出したボトル頭部を嵌入する円環部を設け、前記円環部の外周に前記円環部とほぼ同じ高さの膨出部を形成してボトル底部を載置する載置面としたことを特徴とする両面使用可能なペットボトル用トレイ。
【請求項２】
前記膨出部は、２以上であってプレートの上下方向に互い違いに膨出させて形成されており、載置面は凹凸面とされていることを特徴とする請求項１記載の両面使用可能なペットボトル用トレイ。
【請求項３】
プレートの上下のいずれか一方、または双方の膨出部の裏面には支持リブが突設されていることを特徴とする請求項１または請求項２記載の両面使用可能なペットボトル用トレイ。
【請求項４】
膨出部は、平面形状が扇形に形成されていることを特徴とする請求項１〜３のいずれか１項に記載の両面使用可能なペットボトル用トレイ。
【発明の詳細な説明】
【技術分野】
【０００１】
この発明は、コーラ、ジュース、清涼飲料等のペットボトルを保管、運搬したり、陳列する際に使用する両面使用可能なペットボトル用トレイに関する。
【背景技術】
【０００２】
コーラ、ジュース、清涼飲料等は、容器、主にペットボトルに包装されて流通している。これらのペットボトルを保管、運搬したり、陳列する際には、合成樹脂製のペットボトル用トレイが用いられている。これらのペットボトル用トレイの一例を上げれば、実公平５ー１８２６４号公報に記載されているような「壜用パレット」がある。これらの壜用パレットは、ペットボトルの底部を上面の嵌合部に嵌合して直立整列させ、この直立したペットボトルの頭部に上段の壜用パレットの底面の嵌合部を嵌合させて積み重ねるようにしたものである。
【０００３】
すなわち、前記壜用パレットは、合成樹脂製プレートの上面に島状に形成された複数の凸部で囲まれた凹部を壜底部の嵌合部となし、合成樹脂製プレートの下面に前記嵌合部の位置に対応させて形成された円形部を壜頭部の嵌合部となし、前記合成樹脂製プレートの周縁下側に向かって下向鍔を形成し、かつ前記複数の凸部のうち、合成樹脂製プレートの周縁部の凸部の外側に前記下向鍔が係合する嵌合段部を形成し、前記下向鍔を前記嵌合段部に当接するように構成したものである。
【０００４】
また、特許第３２６３６７０号公報に記載されているように、合成樹脂製プレートの上面に島状に形成された複数の凸部で囲まれた凹部を段状に形成したペットボトル載置用具が提案されている。即ち、底部の形状が異なる多種多様なペットボトルを載置する高さの異なる複数個の積載面が前記凹部に形成され、複数本のペットボトルの底面を載置した状態で多段に積み重ねられるように構成したものである。
【特許文献１】実公平５−１８２６４号公報
【特許文献２】特許第３２６３６７０号公報
【発明の開示】
【発明が解決しようとする課題】
【０００５】
上記実公平５−１８２６４号公報記載の壜用パレットは、ペットボトルの底部及び頭部に嵌合できる突状を設けたので、並列及び積み重ねが安定し陳列または運搬時の荷崩れを防止できる。また、複数の壜用パレットは互いに嵌合させてほぼ隙間なく重ねられるのでコンパクトでかつ荷崩れのおそれがない等の効果を奏する。しかしながら，一種類のボトルしか載置することができず、複数の種類のボトルに対応することができないという問題があった。
【０００６】
また、特許第３２６３６７０号公報記載のペットボトル載置用具は、同心上に複数の凹部を段状に形成しているために、大きさの異なるペットボトルを載置できるものの、ペットボトルの周面が当接する保持部を充分な高さに形成することができないので、上段を積み重ねたとき安定した状態で積み重ねることができないという問題がある。
【０００７】
さらに、上記のように、従来の壜用パレットは、下面に壜頭部を嵌合させて載置することによって積み重ねる構成であるために、壜を載置するのは上面のみに限られ、裏返して裏面をペットボトルの載置面として使用することはできなかった。
この発明は、かかる現況に鑑みてなされたもので、大きさの異なるペットボトルを載置することができると共に、安定した状態で並列及び積み重ねができ、荷崩れを防止できる両面使用可能なペットボトル用トレイを提供することを目的とするものである。
【課題を解決するための手段】
【０００８】
この発明は上記目的を達成するために次のような構成とした。即ち、この発明に係る両面使用可能なペットボトル用トレイは、平面方形状のプレートの周縁に上下方向に突出するフランジを設け、前記プレートの上下面に島状に配設した複数の凸部で囲まれた凹部をペットボトルの嵌合部となし、前記嵌合部は、中心部に前記プレートから上下方向に突出したボトル頭部を嵌入する円環部を設け、前記円環部の外周に前記円環部とほぼ同じ高さの膨出部を形成してボトル底部を載置する載置面としたことを特徴とする。このように構成することによって、プレートの上下方向にボトル頭部の円環部を設けることができるとともに、ボトル底部に嵌合部を設けることができるから、両面使用可能なトレイとすることができる。前記膨出部は、２以上であってプレートの上下方向に互い違いに形成されており、載置面は凹凸面とされている。そして、プレートの上下面のいずれか一方、または双方の膨出部の裏面には、支持リブを突設してもよい。また、膨出部は、平面形状が扇形に形成することができる。
【発明の効果】
【０００９】
ボトル嵌合部は、ボトル頭部が嵌入する円環部の外周に、円環部とほぼ同じ高さの膨出部を互い違いに形成することによって載置面としたから、プレートの上下面にボトル頭部嵌入部とボトル嵌合部を形成することができ、プレートの両面を使用することができる。従って、上下面の嵌合部の大きさを変えることによって、複数の種類のペットボトルを安定した状態で嵌合することができる。また、ボトルを載置して積み重ねたとき、下段のトレイに載置したペットボトルの頭部は、上段のトレイの下面に形成したボトル頭部の円環部に嵌入されるから、従来公知のトレイと同様に荷崩れすることなく安定した状態で保管、運搬することができる。
また、膨出部の裏面に支持リブを突設した場合には、底面が凹凸面とされたボトルでも安定した状態で載置することができる。
【発明を実施するための最良の形態】
【００１０】
以下に、図示する実施形態について詳細に説明する。図１は、第１実施形態を示すペットボトル用トレイであって、左半分が平面図、右半分が底面図であり、図２は右半分の正面図である。図示するように、ペットボトル用トレイ１は、方形状のプレート３の周縁に上下に突出するフランジ４を設け、前記プレート３の上面には、載置したペットボトルの底部を嵌合する嵌合部５が設けられており、プレート３の下面には同じく載置したペットボトルの底部を嵌合する嵌合部５Ａが設けられている。
【００１１】
前記嵌合部５は、中央部に配した略菱形凸部７，四隅に配した略小三角形凸部８及び前記略小三角形凸部８の中間部に配した略三角形凸部９を島状に配することにより、それぞれ４つの凸部で囲まれる凹部によって形成されている。前記略菱形凸部７、略小三角形凸部８及び略三角形凸部９は、図示するように島状に配置されている。一方、前記嵌合部５Ａは、プレート３を挟んで同じく島状に配した中央部の略菱形凸部７ａ，四隅の略小三角形凸部８ａ及びその中間部の略三角形凸部９ａに囲まれることによって形成されている。
【００１２】
前記略菱形凸部７と略菱形凸部７ａ、四隅の略小三角形凸部８と略小三角形凸部８ａ、及び中間部の略三角形凸部９と略三角形凸部９ａは、それぞれプレート３を挟んで対称に突設されている。そして、前記略菱形凸部７、四隅の略小三角形凸部８及び中間部の略三角形突部９は、それぞれ対称となる略菱形凸部７ａ、略小三角形凸部８ａ、及び中間部の略三角形凸部９ａよりも断面積が小さく形成されている。即ち、嵌合部５は、嵌合部５Ａよりも大きく形成されており、例えば、嵌合部５を２．０リットルボトル用、嵌合部５Ａを１．５リットルボトル用とすることができる。
【００１３】
また、前記各凸部は、図５に示すように、上面が開口した中空状であり、仕切りをなすプレート３には、水抜き用の小孔１１が穿設されており、前記略菱形凸部７と略菱形凸部７ａ、四隅の略小三角形凸部８と略小三角形凸部８ａ、及び中間部の略三角形凸部９と略三角形凸部９ａをそれぞれ連通させている。さらに、前記略菱形凸部７、四隅の略小三角形凸部８、及び中間部の略三角形凸部９の嵌合部５に面する側面と、前記略菱形凸部７ａ、四隅の略小三角形凸部８ａ、及び中間部の略三角形凸部９ａの嵌合部５Ａに面する側面は、嵌合するペットボトルを支持する支持面となる。
【００１４】
次に、図３〜図７に基づいて、上記嵌合部５，嵌合部５Ａについて説明する。前記嵌合部５は、略菱形凸部７、四隅の略小三角形凸部８及び中間部に配した略三角形凸部９を島状に配することにより、それぞれ４つの凸部で囲まれた凹部であり、前記嵌合部５Ａは、略菱形凸部７ａ、四隅の略小三角形凸部８ａ及び中間部に配した略三角形凸部９ａを島状に配することにより、それぞれ４つの凸部で囲まれた凹部であり、それぞれペットボトルの底面を載置する円盤状の載置面１２，１２ａを有している。
【００１５】
前記載置面１２，１２ａは、円周方向に八等分して一つ置きにプレート３を上下方向に膨出させることによって形成されている。即ち、載置面１２は、図から明らかなように、嵌合部５の中心部にボトル頭部を嵌入する円形状の円環部１３をプレート３の上面に突設し、前記円環部１３の外周に八等分して一つ置きに前記円環部１３と同じ高さまで上方に膨出させた扇形の膨出部１５によって形成されている。一方、前記載置面１２ａは、嵌合部５Ａの中心部にボトル頭部を嵌合する円形状の円環部１３ａをプレート３の下面に突設し、前記円環部１３ａの外周に前記膨出部１５、１５の間を円環部１３ａの高さまでプレート３よりも下方に膨出させた扇形の膨出部１５ａによって形成されている。
【００１６】
従って、載置面１２側からみれば、扇形の膨出部１５は上方に突出しており、下方に突出した膨出部１５ａは凹部となり、反対に裏返して載置面１２ａ側からみれば、扇形の膨出部１５ａは上方に突出しており、下方に突出した膨出部１５は凹部となり、プレート３を基準にして互い違いな凹凸面に形成されている。この発明に係るペットボトル用トレイ１は、上下両面にボトル底部を嵌合する嵌合部とボトル頭部を嵌入する円環部を有することになり、両面を使用することができる。
【００１７】
上記のように、円環部１３，１３ａは、プレート３を挟んで上下対称に形成されており、前記円環部１３，１３ａ内のプレートには透孔１６を穿設することによって円環部１３，１３ａを連通させている。また、前記扇形の膨出部１５は、それぞれ一辺を延長したリブ１７によって、略菱形凸部７、四隅の略小三角形凸部８及び中間部に配した略三角形凸部９と連結しており、前記扇形の膨出部１５ａのそれぞれ一辺を延長したリブ１７ａによって、略菱形凸部７ａ、四隅の略小三角形凸部８ａ及び中間部に配した略三角形凸部９ａと連結している。
【００１８】
前記膨出部１５、１５ａの載置面１２、１２ａには、水抜き用の小孔１９が穿設されている。前記載置面１２，１２ａは、それぞれ４個の膨出部１５、１５ａによって形成されているが、膨出部は前記実施形態に限定されるものではなく、偶数に等分したものであればよい。また、その膨出高さは、ボトル頭部を嵌合させ係止するのに充分な高さである円環部１３，１３ａに合わせればよい。
【００１９】
さらに、膨出部１５の裏面（嵌合部５Ａ側からみた凹部）には、支持リブ２０が突設されている。前記支持リブ２０は、載置面１２ａを上面として使用した場合に、嵌合したペットボトルの底面を支持し、膨出部１５の裏面の凹部への嵌入を防止するものであって、膨出部１５ａの載置面１２ａとほぼ同じ高さに突設されている。
【００２０】
支持リブ２０を突設したのは、次の理由による。即ち、ペットボトルには、底面の形状が平滑なものと凹凸のものとがあり、例えば、図８（ａ）に示すように、底部形状が平滑な２リットル入りのボトルＸと、図８（ｂ）に示すように、底部形状が凹凸に形成された１．５リットル入りのボトルＹとがある。ボトルＸのように底面が平滑であれば載置面１２ａに安定した状態で嵌合させることができるが、ボトルＹのように底面形状が凹凸に形成されていると、底面の突出部が前記膨出部１５の裏面（載置面１２ａ側からみた凹部）に位置すると安定した状態で嵌合させることができない。そこで、底面の突出部が凹部に嵌入するのを防止するために、支持リブ２０を突設したのである。
【００２１】
前記支持リブ２０は、膨出部１５ａの裏面（嵌合部５側からみた凹部）にも適宜突設してもよい。支持リブ２０は、ボトル底部の突出部が、載置面側からみた凹部となる膨出部１５、１５ａの裏面への嵌入を防止するものであるから、載置面を形成する膨出部の数が少ない場合には、１つの凹部に２以上の支持リブを突設してもよいし、膨出部の数が多い場合には、省略することも可能である。
【００２２】
さらに、四隅の略小三角形凸部８の内面に接して係合用突起２１を突設してなる。図示する実施形態では、前記係合用突起２１は、略小三角形凸部８の隅角に略小三角形凸部８の上面から僅かに突出しており、下部はプレート３に達している。このように、係合用突起２１を突設することによって、トレイ同士を安定した状態で積み重ねることができる。即ち、トレイ同士を積み重ねたとき、下段のトレイの前記係合用突起２１が、上段のトレイの四隅の略小三角形凸部８ａに嵌合することになるから、滑り落ちることがなく、安全に保管及び運搬することができる。
【００２３】
この発明に係るペットボトル用トレイ１は、プレート３の上下面に対称に嵌合部５，５Ａを形成したから、上下面で異なる種類のボトルを嵌合させることができる。また、嵌合部５、５Ａは、中心部にボトル頭部を嵌合させる嵌合部１３，１３ａを上下対称に設け、プレート３を基準にして互い違いに膨出させることによって載置面１２，１２ａを形成したから、金型による射出成型が可能である。
【００２４】
なお、上記実施形態では、ボトル頭部を嵌入させる円環部１３，１３ａと載置面１２，１２ａは円形状に形成したが、これらの形状は特に限定されるものではなく、方形状、多角形状等任意に形成することができる。
【図面の簡単な説明】
【００２５】
【図１】この発明の第１実施形態を示し、左半分は上面図、右半分は下面図である。
【図２】同じく正面図である。
【図３】図１におけるＡ−Ａ線断面図である。
【図４】図１におけるＢ−Ｂ線断面図である。
【図５】図１におけるＣ−Ｃ線断面図である。
【図６】図１におけるＤ−Ｄ線断面図である。
【図７】嵌合部の一部を示す断面斜視図である。
【図８】ペットボトルの形状を示す斜視図である。
【符号の説明】
【００２６】
１：ペットボトル用トレイ
３：プレート  
４：フランジ  
５、５Ａ：嵌合部  
７、７ａ：略菱形凸部  
８、８ａ：略小三角形凸部  
９、９ａ：略三角形凸部
１１：水抜き用小孔  
１２、１２ａ：載置面
１３、１３ａ：円環部  
１５、１５ａ：膨出部
１７、１７ａ：リブ    
１９：水抜き用小孔  
２０：支持リブ
２１：係合用突起
【図１】
2006282270.tif 000003
【図２】
2006282270.tif 000004
【図３】
2006282270.tif 000005
【図４】
2006282270.tif 000006
【図５】
2006282270.tif 000007
【図６】
2006282270.tif 000008
【図７】
2006282270.tif 000009
【図８】
2006282270.tif 000010
【手続補正書】
【提出日】平成17年4月7日(2005.4.7)
【手続補正１】
【補正対象書類名】図面
【補正対象項目名】全図
【補正方法】変更
【補正の内容】
【図１】
2006282270.tif 000011
【図２】
2006282270.tif 000012
【図３】
2006282270.tif 000013
【図４】
2006282270.tif 000014
【図５】
2006282270.tif 000015
【図６】
2006282270.tif 000016
【図７】
2006282270.tif 000017
【図８】
2006282270.tif 000018